(57)【要約】【課題】  障子の押さえ込み力の調整が容易な自然換気窓の提供。【解決手段】  枠１と、枠に水平軸１９で支持され風圧により開閉方向に回転可能な障子２と、障子開閉装置３とを備え、障子開閉装置３は、駆動手段４と、駆動手段により回転する回転軸５と、回転軸に取付けた閉鎖アーム６及び蹴り出しアーム７と、室内側から操作可能な調整具８と、蹴り出しアーム７に設けてあり調整具８を保持する台座部９と、閉鎖アーム６に設けてあり調整具８を受ける受け部１０を有し、閉鎖アーム６は、回転軸５に対して着脱自在であると共に室内側から調整具８を操作することで室内外方向に取付角度を調整可能であり、蹴り出しアーム７は、回転軸５に対して着脱自在であり、且つ回転軸５に固定してある。【選択図】      図３
2014206015.tif 000002
【特許請求の範囲】
【請求項１】
枠と、枠に水平軸で支持され風圧により開閉方向に回転可能な障子と、障子閉鎖装置とを備え、障子閉鎖装置は、駆動手段と、駆動手段により回転する回転軸と、回転軸に取付けた閉鎖アームと、室内側から操作可能な調整具と、回転軸と共に回転し調整具を保持する台座部と、閉鎖アームに設けてあり調整具を受ける受け部を有し、閉鎖アームは、回転軸に対して着脱自在であると共に室内側から調整具を操作することで室内外方向に取付角度を調整可能であることを特徴とする自然換気窓。
【請求項２】
枠と、枠に水平軸で支持され風圧により開閉方向に回転可能な障子と、障子開閉装置とを備え、障子開閉装置は、駆動手段と、駆動手段により回転する回転軸と、回転軸に取付けた閉鎖アーム及び蹴り出しアームと、室内側から操作可能な調整具と、蹴り出しアームに設けてあり調整具を保持する台座部と、閉鎖アームに設けてあり調整具を受ける受け部を有し、閉鎖アームは、回転軸に対して着脱自在であると共に室内側から調整具を操作することで室内外方向に取付角度を調整可能であり、蹴り出しアームは、回転軸に対して着脱自在であり、且つ回転軸に固定してあることを特徴とする自然換気窓。
【発明の詳細な説明】
【技術分野】
【０００１】
本発明は、障子が風を受けて自然に開閉して換気が行える自然換気窓に関する。
【背景技術】
【０００２】
特許文献１には、風を受けて自然に開閉する障子の開閉装置として、リニアアクチュエータ３により回転駆動される回転軸４にへの字形の開閉アーム６を取付け、開閉アーム６の一方の腕７ａで障子１の支軸５よりも上側を押すことで障子１を閉鎖し、開閉アーム６の他方の腕７ｂで障子１の支軸５よりも下側を押すことで障子１を開放するものが記載されている。
上記の障子開閉装置は、開閉アーム６に一方の腕７ａと他方の腕７ｂが一体に形成され、且つ開閉アーム６は回転軸４に対して固定して取付けられているため、障子閉鎖時に一方の腕７ａで障子を押さえ込む力を調整するためには、障子開閉装置のベース８と縦枠材１２ｃとの間にスペーサーを挟むなどして対応しなければならず、調整に大変手間がかかっていた。また上記障子開閉装置は、回転軸４の左右両側に開閉アーム６を取付けて、左右の障子１を同時に開閉することもできるが、回転軸の製作誤差等により左右の開閉アームの障子を押さえ込む力に違いがあると、左右の開閉アームの押さえ込み力を個々に調整することはできないため、装置全体を交換しなければならなかった。
【先行技術文献】
【特許文献】
【０００３】
【特許文献１】特許第４５１３５００号公報
【発明の概要】
【発明が解決しようとする課題】
【０００４】
本発明は以上に述べた実情に鑑み、障子の押さえ込み力の調整が容易な自然換気窓の提供を目的とする。
【課題を解決するための手段】
【０００５】
上記の課題を達成するために請求項１記載の発明による自然換気窓は、枠と、枠に水平軸で支持され風圧により開閉方向に回転可能な障子と、障子閉鎖装置とを備え、障子閉鎖装置は、駆動手段と、駆動手段により回転する回転軸と、回転軸に取付けた閉鎖アームと、室内側から操作可能な調整具と、回転軸と共に回転し調整具を保持する台座部と、閉鎖アームに設けてあり調整具を受ける受け部を有し、閉鎖アームは、回転軸に対して着脱自在であると共に室内側から調整具を操作することで室内外方向に取付角度を調整可能であることを特徴とする。
【０００６】
請求項２記載の発明による自然換気窓は、枠と、枠に水平軸で支持され風圧により開閉方向に回転可能な障子と、障子開閉装置とを備え、障子開閉装置は、駆動手段と、駆動手段により回転する回転軸と、回転軸に取付けた閉鎖アーム及び蹴り出しアームと、室内側から操作可能な調整具と、蹴り出しアームに設けてあり調整具を保持する台座部と、閉鎖アームに設けてあり調整具を受ける受け部を有し、閉鎖アームは、回転軸に対して着脱自在であると共に室内側から調整具を操作することで室内外方向に取付角度を調整可能であり、蹴り出しアームは、回転軸に対して着脱自在であり、且つ回転軸に固定してあることを特徴とする。
【発明の効果】
【０００７】
請求項１記載の発明による自然換気窓は、室内側から調整具を操作することで閉鎖アームの取付角度を室内外方向に調整できるので、障子閉鎖時に障子を押さえ込む力の調整が容易である。また、閉鎖アームは回転軸に対して着脱自在なため、メンテナンスも容易である。回転軸の左右両側に閉鎖アームを設け、左右の障子を同時に閉鎖できるようにする場合でも、左右の閉鎖アームの角度調整やメンテナンスを個々に容易に行える。
【０００８】
請求項２記載の発明による自然換気窓は、室内側から調整具を操作することで閉鎖アームの取付角度を室内外方向に調整できるので、障子閉鎖時に障子を押さえ込む力の調整が容易である。また、閉鎖アームは回転軸に対して着脱自在なため、メンテナンスも容易である。回転軸の左右両側に閉鎖アームを設け、左右の障子を同時に閉鎖できるようにする場合でも、左右の閉鎖アームの角度調整やメンテナンスを個々に容易に行える。さらに、回転軸には閉鎖アームと共に蹴り出しアームが取付けてあるので、蹴り出しアームにより障子を強制的に開放することもでき、蹴り出しアームは回転軸に対して着脱自在なため、メンテナンスが容易である。
【図面の簡単な説明】
【０００９】
【図１】本発明に係る自然換気窓の室内側正面図である。
【図２】図１のＡ−Ａ断面図である。
【図３】障子開閉装置のアーム部を拡大して示す側面図である。
【図４】図１のＢ−Ｂ断面図である。
【図５】障子開閉装置の一部切欠き正面図である。
【図６】障子開閉装置のアーム部の分解斜視図である。
【図７】障子開閉装置のアーム部の動作を示す説明図である。
【図８】障子開閉装置のアーム部の他の実施形態を示す一部切欠き正面図である。
【図９】図８のＣ−Ｃ断面図である。
【発明を実施するための形態】
【００１０】
以下、本発明の実施の形態を図面に基づいて説明する。図１〜図７は、本発明に係る自然換気窓の一実施形態であって、２連窓としたものを示している。この窓は、図１に示すように、上枠１５と、下枠１６と、左右の竪枠１７，１７と、上下枠１５，１６の中間に架設した方立１８とにより枠１を構成し、左右の竪枠１７，１７と方立１８との間に、それぞれ障子２，２を支軸１９で回転自在に軸支してある。支軸１９は、障子２を中間高さより上部で偏心状態に軸支しており、障子２上框の室内側には重り２０が取付けてあって、障子２は風の力と重り２０とのバランスにより自然に開閉方向に回転するようになっている。方立１８には、障子２の開閉する範囲を規制したり、障子２を強制的に閉鎖ないし開放するための障子開閉装置３を設置してある。下枠１６上面の左右両端部には、障子２が強風に煽られて勢いよく閉鎖したときの衝撃を吸収するためのクッション装置１１が設けてある。
【００１１】
障子開閉装置３は、図２，４，５に示すように、方立１８内部に取付けられるベース２１に回転軸５がベアリング２２を介して水平に支持され、回転軸５の左右両端部に閉鎖アーム６と蹴り出しアーム７とがそれぞれ取付けてある。閉鎖アーム６と蹴り出しアーム７とは、への字形を成すように取付けられ、両アーム６，７とも障子２とは非連結になっている。回転軸５は、四角形断面の軸芯２３に円柱形の外ブッシュ２４及び内ブッシュ２５を嵌めて構成してあり、障子２の支軸１９の室内側に支軸１９と略同じ高さに配置してある。内ブッシュ２５には駆動用アーム２６が固定してあり、駆動用アーム２６の先端部にリニアアクチュエータ４のロッド２７の先端部をピン２８で連結してある。リニアアクチュエータ４は、モータ２９の力でロッド２７が伸縮するもので、末端部がベース２１に取付けられた金具３０にピン３１で連結してあり、ロッド２７の伸縮に伴って回転軸５が回転駆動される。
【００１２】
蹴り出しアーム７は、図５，６に示すように、付け根部に形成された四角孔３２に回転軸５の軸芯２３を嵌合し、外ブッシュ２４の端面に当接してネジ３３で固定してある。したがって蹴り出しアーム７は、回転軸５に対して固定して取付けられ、且つ着脱自在となっている。蹴り出しアーム７の先端部には、ローラー軸３４が方立１８側に突出して設けてあり、ローラー軸３４にウレタン樹脂製の下部ローラー３５が回転自在に取付けられ、止め輪３６により抜け止めされている。蹴り出しアーム７の回転軸５よりも上側の部分には、方立１８側の面に調整具８を保持する台座部９がネジ３７で取付けてある。調整具８はボルトを利用したもので、工具と係合する頭部８ａと、ネジ軸８ｂとを有している。台座部９は、図３，６に示すように、上方及び室外側が開放した凹部３８が形成され、凹部３８の室内側に室内外方向に貫通して設けた貫通孔３９に調整具８のネジ軸８ｂが室内側から挿入され、凹部３８内でネジ軸８ｂにナット４０を螺合させてある。ナット４０は、締付けた状態から少し緩め、ナット４０とネジ軸８ｂにスプリングピン４１を差し込んで固定してあり、これにより調整具８が軽く回転できるようにしてある。調整具８は、後述する閉鎖アーム６の角度調整を行った後、台座部９の上面から貫通孔３９にかけて形成した雌ネジ孔４２にイモネジ４３を捻じ込み、イモネジ４３の先端を調整具８のネジ軸８ｂに突き当てることで、固定できるようになっている。
【００１３】
閉鎖アーム６は、図５，６に示すように、付け根部に形成された円形の孔４４に回転軸５の軸芯２３の先端部に形成された丸軸部４５を嵌合し、カバー４６を当てがいネジ４７で締付けることで、回転軸５に対して室内外方向に角度調整可能に且つ着脱自在に取付けてある。閉鎖アーム６の先端部には、ローラー軸３４が方立１８側に突出して設けてあり、ローラー軸１８にウレタン樹脂製の上部ローラー４８が回転自在に取付けられ、止め輪３６により抜け止めされている。閉鎖アーム６の中間部の方立１８側の面には、調整具８を受ける受け部１０がネジ４９で取付けてある。受け部１０は、図３，６に示すように、台座部９の凹部３８内に挿入される凸部５０が下方に突出して形成してあり、凸部５０には調整具８のネジ軸８ｂと螺合する可動ピン５１が保持してある。調整具８が回転すると、可動ピン５１がネジ軸８ｂに沿って移動し、それに伴って閉鎖アーム６の取付角度を室内外方向に調整できる。可動ピン５１はネジ軸８ｂに沿って直線的に移動し、受け部１０は回転軸５を中心とする円弧上を移動するため、受け部１０の凸部５０に設けられる可動ピン５１の保持孔５２は、この両者の軌跡の誤差を吸収できるように余裕を持たせてある。また、凸部５０に形成されるネジ軸８ｂの挿通孔５３は、上下方向の長孔になっている。
【００１４】
障子開閉装置３は以上のように構成され、リニアアクチュエータ４のロッド２７を最も縮めると、図７（ａ）に示すように、閉鎖アーム６に取付けた上部ローラー４８が、障子２の縦框の支軸１９より上側に当接して、障子２を閉鎖する。このとき、障子２の押さえ込み力が弱い場合には、図３に示すように、調整具８を室内側から棒レンチ等の工具で反時計回りに操作することで、閉鎖アーム６が可動ピン５１に押されて回転軸５に対して室外側に回動し、障子２の押さえ込み力が強まる。反対に、障子２の押さえ込み力が強い場合は、調整具８を時計回りに操作することで、閉鎖アーム６が可動ピン５１に引っ張られて回転軸５に対して室内側に回動し、障子２の押さえ込み力が弱まる。このような調整を行った後、調整具８をイモネジ４３で固定することで、閉鎖アーム６の角度を固定できる。
リニアアクチュエータ４のロッド２７を中間位置に停止させ、図７（ｂ）に示すように、閉鎖アーム６を斜め上向きの状態に保持すると、障子２が閉鎖状態から閉鎖アーム６の上部ローラー４８に当接するまでの範囲で、風の力で自動的にスイングする。ロッド２７を最も伸ばした状態にすると、図７（ｃ）に示すように、蹴り出しアーム７が室外側に斜め下向きに突出する形となり、障子２を開放状態に保持する。また、図７（ａ）に示す状態から、リニアアクチュエータ４のロッド２７を伸ばして回転軸５を時計回りに回転させると、蹴り出しアーム７の下部ローラー３５が障子２縦框の支軸１９よりも下側を押し、閉鎖した障子２を開放することもできる。図７（ａ）の状態から図７（ｃ）の状態までの回転軸５の回転角度は、約１００°である。
【００１５】
以上に述べたように本自然換気窓は、障子開閉装置３に室内側から操作できる調整具８を設け、調整具８を操作することで左右の障子２，２用の閉鎖アーム６，６の取付角度を室内外方向に個々に調整できるため、各障子２，２の押さえ込み力の調整が容易に行える。しかも図３に示すように、回転軸５を障子２閉鎖時の位置に回転させた状態で閉鎖アーム６の角度調整を行うことで、障子２の押さえ込み力の調整を１回で正確に行える。閉鎖アーム６の角度調整のための機構（調整具８、台座部９、受け部１０）が、アームの窓開口部外周側の側面に設けてあることで、窓開口部を室内側から見たときにこれら機構部品が目立たないと共に、機構部品により窓開口部が狭められない。また、上部ローラー４８の下方に機構部品を配置することで、角度調整機構をコンパクトにできる。台座部９を蹴り出しアーム７に取付けることで、台座部９の設置が容易である。また、台座部９をアームと別体の部材としたことで、台座部９のみを着脱したり交換したりすることが可能であり、既存の装置のアームに台座部９を取付けて、アームの取付角度を調整できるようにすることも可能である。閉鎖アーム６は、回転軸５を支点として角度調整自在とすることで、調整できる範囲が大きい。また、閉鎖アーム６の角度が決まった後に、調整具８をイモネジ４３で固定することで、閉鎖アーム６を強固に固定できる。閉鎖アーム６と蹴り出しアーム７が回転軸５に対して着脱自在なため、メンテナンスが容易である。上部ローラー４８と下部ローラー３５は、止め輪３６を外すことで着脱できるので、アーム６，７を取り外すことなく上部・下部ローラー４８，３５のみを交換することができる。
【００１６】
図８，９は、閉鎖アーム６と蹴り出しアーム７の他の実施形態を示している。蹴り出しアーム７は、調整具８を保持する台座部９がアームと一体に設けられている。閉鎖アーム６は、調整具８を受ける受け部１０がアームと一体に設けられている。それ以外の点は、先に述べた実施形態と同様である。
本実施形態のものも、先に説明した実施形態と同様に、室内側から調整具８を操作することで閉鎖アーム６の取付角度を室内外方向に調整し、障子２の押さえ込み力を簡易に調整できる。台座部９と受け部１０を閉鎖アーム６と蹴り出しアーム７にそれぞれ一体に設けたことで、部品点数を少なくできる。
【００１７】
本発明は以上に述べた実施形態に限定されない。障子開閉装置３の駆動手段４としては種々のものが使用でき、モーターの回転をネジやラック＆ピニオン等で直線運動に変換するもの、リニアモーターを用いたもの、空圧や油圧シリンダー等であってもよい。枠１の構成は自由であり、２連窓に限らず、障子２を一枚だけ備えた単窓であってもよく、その場合には回転軸５の片側だけに閉鎖アーム６と蹴り出しアーム７を設ける。また、実施形態としては回転軸５に閉鎖アーム６及び蹴り出しアーム７を取付けた障子開閉装置３を示しているが、蹴り出しアーム７を有しない障子閉鎖装置とすることもでき、その場合は台座部９を回転軸５に固定して取付ける。障子２は、風圧により開閉方向に回転可能な状態のときに、閉まりきらないものであってもよい。
【符号の説明】
【００１８】
１  枠
２  障子
３  障子開閉装置
４  リニアアクチュエータ（駆動手段）
５  回転軸
６  閉鎖アーム
７  蹴り出しアーム
８  調整具
９  台座部
１０  受け部
【図１】
2014206015.tif 000003
【図２】
2014206015.tif 000004
【図３】
2014206015.tif 000005
【図４】
2014206015.tif 000006
【図５】
2014206015.tif 000007
【図６】
2014206015.tif 000008
【図７】
2014206015.tif 000009
【図８】
2014206015.tif 000010
【図９】
2014206015.tif 000011